(57)【特許請求の範囲】
【請求項１】
被検眼を測定するための測定手段を有する測定ユニットと、被検眼を撮影し被検眼像を得る撮影手段と、該撮影手段によって得られた被検眼像と前記測定ユニットによって得られた測定結果を合成して表示する表示手段と、を備える眼科装置において、前記測定ユニットによって得られた測定結果が所定の測定終了条件を満たすか否かを判断する判断手段と、該判断手段によって所定の測定終了条件を満たしたと判断された際に、前記測定結果が表示される領域内の背景を所定の色にて塗りつぶすことにより前記測定結果を強調表示する制御を行う表示制御手段と、を備えることを特徴とする眼科装置。
【請求項２】
請求項１の眼科装置において、前記測定手段によって得られた測定結果の信頼度を判定する判定手段を備え、前記表示制御手段は、該判定手段によって得られた判定結果に基づいて前記塗りつぶしの表示状態を変化させることを特徴とする眼科装置。
【請求項３】
請求項２の眼科装置において、前記表示制御手段は、前記判定手段の判定結果に基づいて前記塗りつぶしの色を変化させることを特徴とする眼科装置。
【発明の詳細な説明】
【技術分野】
【０００１】
本発明は、被検眼を測定する眼科装置に関する。
【背景技術】
【０００２】
被検眼を測定する眼科装置として、眼屈折力測定装置や非接触式眼圧計等が知られている。この種の装置の場合、表示モニタを持つものが一般的であり、表示モニタは主に、検者による被検眼に対するアライメント調整のための被検眼観察像と、所定の測定手段によって得られた測定結果とを表示するために用いられている（特許文献１参照）。
【特許文献１】特開平１０−２１６０８８号公報
【発明の開示】
【発明が解決しようとする課題】
【０００３】
ところで、従来の測定結果の表示手法は、検者がアライメント調整を容易に行うことができるように、例えば図８に示すように測定結果を表示する領域の背景にも被検眼像が表示される。
また、特許文献１の一実施例には、所定の測定終了条件になった際に、表示モニタ上に測定結果と共に、「ＦＩＮＩＳＨ」という文字を表示するものが開示されている。
【０００４】
本発明は、上記従来技術に鑑み、検者による測定結果の確認をしやすくするとともに、所定の測定終了条件に達したことを確実に検者に知らせることができる眼科装置を提供することを技術課題とする。
【課題を解決するための手段】
【０００５】
上記課題を解決するために、本発明は以下のような構成を備えることを特徴とする。
【０００６】
（１）  被検眼を測定するための測定手段を有する測定ユニットと、被検眼を撮影し被検眼像を得る撮影手段と、該撮影手段によって得られた被検眼像と前記測定ユニットによって得られた測定結果を合成して表示する表示手段と、を備える眼科装置において、前記測定ユニットによって得られた測定結果が所定の測定終了条件を満たすか否かを判断する判断手段と、該判断手段によって所定の測定終了条件を満たしたと判断された際に、前記測定結果が表示される領域内の背景を所定の色にて塗りつぶすことにより前記測定結果を強調表示する制御を行う表示制御手段と、を備えることを特徴とする。
（２）  （１）の眼科装置において、前記測定手段によって得られた測定結果の信頼度を判定する判定手段を備え、前記表示制御手段は、該判定手段によって得られた判定結果に基づいて前記塗りつぶしの表示状態を変化させることを特徴とする。
（３）  （２）の眼科装置において、前記表示制御手段は、前記判定手段の判定結果に基づいて前記塗りつぶしの色を変化させることを特徴とする。
【発明の効果】
【０００７】
本発明によれば、検者による測定結果の確認をしやすくするとともに、所定の測定終了条件に達したことを確実に検者に知らせることができる。
【発明を実施するための最良の形態】
【０００８】
本発明の一実施形態について図面に基づいて説明する。図１は、第１の実施形態に係る眼科装置の外観構成図である。眼科装置１００は、いわゆる据え置き型の眼科装置であって、基台１と、基台１に取り付けられた顔支持ユニット２と、基台１上に移動可能に設けられた移動台３と、移動台３に移動可能に設けられ、後述する光学系を収納する測定部（測定ユニット）４を備える。測定部４は、移動台３に設けられたＸＹＺ駆動部６により、被検眼Ｅに対して左右方向（Ｘ方向）、上下方向（Ｙ方向）及び前後方向（Ｚ方向）に移動される。移動台３は、ジョイスティック５の操作により、基台１上をＸ方向及びＺ方向に移動される。また、検者が回転ノブ５ａを回転操作することにより、測定部４はＸＹＺ駆動部６のＹ駆動によりＹ方向に移動される。ジョイスティック５の頂部には、測定開始スイッチ５ｂが設けられている。移動台３には、表示モニタ４０が設けられている。
【０００９】
図２は、本実施形態に係る眼科装置の光学系及び制御系の構成について説明するための概略構成図である。被検眼Ｅの前方のダイクロイックミラー１の透過光路Ｏ１上には、被検眼を測定するための測定手段の一つである眼屈折力測定光学系１０が配置されている。測定光学系１０は、眼底に測定光束を投光し、被検眼眼底からの反射光束を受光素子に受光させる光学系であり、受光素子の出力に基づいて眼屈折力が測定される。この測定光学系１０及びその測定原理は周知のものが使用できるので、ここではその説明を省略する。
【００１０】
ダイクロイックミラー１の反射方向には、眼Ｅを観察するための対物レンズ１１、ダイクロイックミラー１２、全反射ミラー１３が配置されている。ミラー１３の反射方向の光路Ｏ２上には、眼Ｅに固視標を固視させるための図示なき固視標投影光学系が配置されている。
【００１１】
ダイクロイックミラー１２の反射方向の光路Ｏ３上には、結像レンズ２０、眼Ｅの前眼部付近と略共役な位置に配置されたエリアＣＣＤ等の二次元撮像素子２１を含み眼Ｅを撮影し被検眼像を得る観察光学系２２が配置されている。
【００１２】
さらに、眼Ｅの前眼部の前方には、眼Ｅの角膜Ｅｃにリング指標を投影するための近赤外光を発するリング指標投影光学系３０と、眼Ｅの角膜Ｅｃに無限遠指標を投影することにより被検眼に対する作動距離方向のアライメント状態を検出するための近赤外光を発する作動距離指標投影光学系３１が観察光軸に対して左右対称に配置されている。なお、リング投影光学系３０は、眼Ｅの前眼部を照明する前眼部照明としても用いられる。
【００１３】
ここで、ダイクロイックミラー１は測定光学系１０が持つ測定光源から発せられる波長の光を透過し、リング投影光学系３０と作動距離投影光学系３１から発せられた波長の光及び可視光を反射する特性を有する。また、ダイクロイックミラー１２は可視光を透過し、赤外光を反射する特性を有している。
【００１４】
制御部７０は、測定光学系１０の受光素子からの出力信号に基づいて眼屈折力を求める演算を行う。また、撮像素子２１からの画像信号が制御部７０へ入力される。撮像素子２１によって得られた前眼部像は、制御部７０にて測定結果やアライメント用マーク等の表示情報と合成（重ねあわせる）されたのち、表示モニタ４０の画面上に表示される。なお、制御部７０には、この他、測定結果等のデータを記憶するメモリ７１、ジョイスティック５、ジョイスティック５の頂部に設けられた測定開始スイッチ５ｂ、測定部４を３次元方向に移動させる駆動機構６、表示モニタ４０の周辺付近の筐体部分に配置され、検査に関する各種設定（測定モード切換やアライメントモード切換など）を行うための操作スイッチ部４５、得られた測定結果をクリアするための信号を制御部７０へ入力するクリアスイッチ４６、測定結果を印字出力するための信号を制御部７０へ入力する印字スイッチ４７、プリンタ６３等が接続されている。
【００１５】
以上のような構成を備える装置において、その動作について説明する。ここでは、眼屈折力の連続測定モードを選択した場合において説明する（図３のフローチャート参照）。
【００１６】
検者は、被検者の顔を顔支持ユニット２に固定させ、図示なき固視標を固視するよう指示した後、被検眼に対するアライメントを行う。これにより、被検眼の前眼部が撮像素子２１によって撮影され、表示モニタ４０上には、前眼部像Ｆ、レチクルマーク１０１、リング投影光学系３０によって投影されたリング指標像（マイヤーリング像）Ｒ、作動距離投影光学系３１によって投影された無限遠指標像Ｍなどが表示される（図４（ａ）参照）。なお、表示モニタ４０の左上端に表示されるＲと右上端に表示されるＬの文字は、測定中の眼が左右眼どちらであるかを示すものである。また、制御部７０は、測定結果が表示される領域ＲＥＦに、上から順に、測定回数、球面度数Ｓ、柱面度数Ｃ、乱視軸角度Ａを、左右眼（左側が右眼、右側が左眼）ごとに表示するようになっており、測定前の段階では、測定値はゼロの状態を示すようになっている（測定値は、白色で表示するのが好ましい）。なお、被検眼前眼部Ｆ上に測定結果を表示する場合、アライメントに用いられるレチクルマーク１０１やリング指標像Ｒやインジゲータ等が隠れない程度にしておく。また、被検眼のアライメントが完了した際に被検眼の瞳孔と虹彩の境界部分（例えば、アライメント基準位置から直径８ｍｍ以内）の大部分が隠れない程度にしておくのが好ましい。
【００１７】
なお、検者が眼Ｅに対するアライメント調整を容易に行うことができるように、撮影された前眼部像Ｆを背景として、測定結果やレチクルマーク１０１等の他の文字・記号情報が画面に表示されるようになっている。このとき、制御部７０は、前眼部像Ｆやリング指標像Ｒ等の上に測定結果等の表示情報を合成して表示する。
【００１８】
粗アライメントが完了すると、制御部７０は、撮像素子２１からの撮像信号に基づいて被検眼に対するアライメント状態を検出する。この場合、制御部７０は、リング指標Ｒの中心座標に基づいて被検眼に対する上下左右方向のアライメント状態を求める。また、制御部７０は、測定部４が作動距離方向にずれた場合に、前述の無限遠指標Ｍの間隔がほとんど変化しないのに対して、リング指標の所定経線方向の像間隔が変化するという特性を利用して、被検眼に対する作動距離方向のアライメント状態を求める（詳しくは、特開平６−４６９９９号参照）。そして、制御部７０は、アライメント検出結果に基づいて駆動機構６を駆動制御することにより測定部４を移動させ、被検眼に対する自動アライメントを行う。そして、アライメントが完了したら、制御部７０は、自動的にトリガ信号を発して測定を開始する（オートショット）。
【００１９】
なお、上記のように自動アライメントモード及びオートショットがＯＦＦのモードに選択された場合、検者は、図示なき固視標を固視するよう指示した後、表示モニタ４０に表示されるリング像（マイヤーリング像）Ｒを見ながらジョイスティック５を操作して、リング像Ｒとレチクルマーク１０１が同心円になるように測定部４の位置を上下左右方向に調整する。その後、インジゲータを参考にしながら（もしくはリング像Ｒが最も細くなるように）、測定部４の作動距離方向の位置を調整する。そして、アライメントが完了して、検者から測定開始スイッチ５ｂが押されると、測定が行われる。なお、測定開始スイッチ５ｂを長押しすると、測定開始のトリガ信号が連続的に発信される。
【００２０】
制御部７０は、トリガ信号の入力に基づき測定光学系１０の測定光源を点灯させる。測定光源から発せられた測定光束は、図示なき投光光学系を介して眼底Ｅｆに投影される。そして、眼底Ｅｆにて反射された測定光束は、図示なき受光光学系を介して受光素子に受光される。
【００２１】
はじめに眼屈折力の予備測定が行われ、予備測定の結果に基づいて図示なき固視標投影光学系の光源及び固視標板が光路Ｏ２方向に移動されることで、被検眼Ｅに対して雲霧がかけられる。その後、雲霧がかけられた被検眼に対して眼屈折力の測定が行われる。
【００２２】
眼屈折力の測定は連続的に行われ、制御部７０は、１回の眼屈折力の測定が終了するごとに、測定回数と測定結果の表示内容を更新する（図４（ｂ）参照）。そして、測定エラーを除いた測定値が所定数（例えば３個）得られると、制御部７０は、測定結果が所定の測定終了条件を満たしたと判断し、測定を終了する。そして、制御部７０は、表示モニタ４０上に片眼の測定終了を意味する「ＦＩＮＩＳＨ」の文字を表示すると共に、測定結果が表示される領域ＲＥＦ内の背景を所定の色で塗りつぶす（ハッチングＮ）ことにより、領域ＲＥＦ内に表示される測定結果を強調表示する（図４（ｃ）参照）。例えば、領域ＲＥＦ内の背景を青色で塗りつぶし、測定結果を白字にて表示させるようにする。
【００２３】
このようにすれば、検者は、前述の塗りつぶし効果によって測定値が強調され見やすくなるので、測定結果の確認がしやすくなる。また、表示モニタ４０上から、測定結果が所定の測定終了条件を満たしたことを、表示モニタ４０上から確実に検者に知らせることができる。なお、背景が見えなくなるような塗りつぶしを付加することで被検眼の前眼部像の一部が観察できなくなるが、あくまでも測定結果を表示する領域ＲＥＦの背景に付加したものであるため、検者は、他の領域から被検眼前眼部像の観察することが可能である。この場合、被検眼のアライメントが完了した際に被検眼の瞳孔と虹彩の境界部分の大部分が観察できる程度であれば、眼Ｅに対するアライメント状態の観察も容易であり、再測定を行う場合にも、迅速な対応が可能である。なお、眼Ｅの複数の機能を測定するような場合（角膜形状と眼屈折力など）、両方の測定が終了した際に、角膜形状及び眼屈折力の測定結果を表示する領域の背景に塗りつぶしを付加することが考えられる。
【００２４】
また、上記のような表示制御を行う場合、得られた測定結果の信頼度を判定し、判定結果に基づいて塗りつぶしの表示状態を変化させるようにしてもよい（例えば、色を変えたり、塗りつぶしの点滅を行う）。より具体的には、得られた測定結果の信頼度を段階的に表現する信頼係数を判定し、判定結果に基づいて塗りつぶしの表示形態を制御するようなことが考えられる。なお、信頼係数の算出方法としては、例えば、受光素子の出力信号に基づいて楕円近似した際の楕円の形状と、受光素子にて検出された実際の受光信号とのずれ量を各経線方向毎に求め、ずれ量の総和の大きさに基づいて信頼係数を判定するような方法が考えられる。
【００２５】
ここで、信頼係数として、９、８、７、６、５、Ｅ（信頼係数の最低値）の６段階で信頼性の高さを表現する。すなわち、信頼係数９と判定される際のずれ量の総和が１ｓであるとすると、１ｓ＜ずれ量の総和≦２ｓの場合には信頼係数８とし、２ｓ＜ずれ量の総和≦３ｓの場合には信頼係数７とし、３ｓ＜ずれ量の総和≦４ｓの場合には信頼係数６とし、４ｓ＜ずれ量の総和≦１０ｓの場合には信頼係数５とし、１０ｓ＜ずれ量の総和≦２０ｓの場合には信頼係数Ｅとし、ずれ量の総和＞２０ｓの場合には測定エラーと判定する。ここで、制御部７０は、判定された信頼係数が８以上であれば塗りつぶしの色を青色とする。また、判定された信頼係数が６もしくは７であれば塗りつぶしの色を黄色とする。さらに、判定された信頼係数が５もしくはＥであれば塗りつぶしの色を赤色とするような手法が考えられる。このようにすれば、測定終了の確認とほぼ同時に、測定結果の信頼度を確認することができる。
【００２６】
なお、眼屈折力測定で測定エラーが所定数（例えば、６回）続いたときは、表示モニタ４０上に「ERROR FINISH」を表示して検者に知らせると共に、測定を停止する。「ERROR FINISH」が表示されたときは、検者は、測定エラーの原因を取り除いた後、測定開始スイッチ５ｂを押すことで測定停止を解除し、再度アライメント調整する。自動アライメント及びオートショットモードの場合、アライメントが完了すると、オ−トショット測定が再開する。このとき、眼屈折力測定の所定数に足りない分の測定のみを行い、それぞれ設定された所定数に達したところで図４（ｃ）のような表示を行う。
【００２７】
片眼の測定が終了したら、同様にもう一方の眼の測定を行う。なお、図５（ａ）は右眼の測定から左眼の測定に移行した際の表示モニタ４０の表示画面であり、図５（ｂ）は、右眼の測定終了後に、左眼の測定が終了した際の表示モニタ４０の表示画面である。このようにすれば、検者は、左右それぞれの眼の測定結果に対応した塗りつぶしの有無を確認することにより、左右両眼の測定終了を容易に確認することができる。
【００２８】
そして、左右両眼の測定結果が所定の測定終了条件を満たしたところで、制御部７０は測定を終了し、プリンタ６３にその測定データを出力する。このとき、印字スイッチ４７を用いて測定結果を印字出力するようにしてもよい。その後、制御部７０は、検者からのクリアスイッチ４６の入力信号があると、得られた測定結果をクリアするとともに、測定結果を表示する領域ＲＥＦ内の背景に付加された塗りつぶしを消去する。これにより、表示モニタ４０は、被検眼に対するアライメント調整を待機する状態となる（図４（ａ）参照）。なお、測定結果を印字出力する際に、測定結果のクリアと塗りつぶしの消去を行わせるようにしてもよい。
【００２９】
以下に、第２の実施形態に係る眼科装置について説明する。なお、第２の実施形態に係る眼科装置は、前述の第１の実施形態にて示した眼屈折力測定機能を持つ眼科装置に、眼Ｅの角膜形状を測定する機能を加えたものである。この場合、リング指標投影光学系３０を角膜形状測定用の指標投影光学系として兼用し、制御部７０は、撮像素子２１にて撮像されたリング指標像Ｒの形状に基づいて眼Ｅの角膜形状を測定する。なお、以下の説明では、角膜形状と眼屈折力の連続測定モードを選択した場合において説明する。
【００３０】
図６は、第２の実施形態に係る眼科装置における表示モニタの表示画面を示す図である。この場合、図６では、測定眼のみの測定結果であるが、眼屈折力の測定結果が表示される領域ＲＥＦと、角膜形状の測定結果が表示される領域Ｋが用意されている。なお、Ｋには、上から順に、測定回数、弱主経線方向の角膜曲率半径Ｒ１、強主経線方向の角膜曲率半径Ｒ２が表示される。
【００３１】
図６（ａ）は、測定が行われる前の表示画面である。ここで、前述に示したと同様に、検者による粗アライメントが完了した後、眼Ｅに対するアライメントが完了すると、測定が開始する。
【００３２】
測定が開始されると、制御部７０は、まず、眼Ｅの角膜形状の連続測定を行い、１回の角膜形状の測定が終了するごとに、測定回数と測定結果の内容を更新する。そして、測定エラーを除いた測定値が所定数（例えば３個）得られるまで続けて行う。
【００３３】
所定数の測定値が得られると、制御部７０は、角膜形状の測定終了条件を満たしたと判断し、角膜形状の測定結果を表示する領域Ｋ内の背景を所定の色にて塗りつぶすことにより（ハッチングＮ）、領域Ｋ内に表示される測定結果を強調表示する（図６（ｂ）参照）。そして、制御部７０は、眼屈折力測定に移行し、眼屈折力の連続測定を行い、測定エラーを除いた測定値が所定数（例えば３個）得られると、眼屈折力の測定終了条件を満たしたと判断し、眼屈折力の測定結果を表示する領域ＲＥＦ内の背景を所定の色にて塗りつぶすことにより（ハッチングＮ）、領域ＲＥＦ内に表示される測定結果を強調表示する（図６（ｃ）参照）。
【００３４】
このようにすれば、被検眼の複数の機能を測定するような場合、どちらか一方の測定が終了したことを容易に確認することができる。なお、上記測定において、角膜形状の測定を測定エラーに関係なく所定の測定回数（例えば、３回）を行うように設定し、所定の測定回数が終了したら、眼屈折力の測定に移行するようにしてもよい。制御部７０は、測定エラーを除いた眼屈折力の測定値が所定数（例えば３個）得られると、眼屈折力の測定終了条件を満たしたと判断し、一旦測定停止とする（図７参照）。ここで、制御部７０は、表示モニタ４０上に角膜形状の測定が所定の測定終了条件を満たしていない（測定エラーを除いた測定値が所定数（例えば３個）得られていない）旨の文字を表示するとともに、角膜形状の測定結果を表示する領域Ｋ内の背景に所定の色（例えば、水色）の塗りつぶし（ハッチングＮ２）を付加する。これにより、検者は、どちらかの測定が終了していないことを容易に確認できる。この場合、再度測定開始スイッチ５ｂが押されると、不足分の測定が開始される。
【００３５】
なお、角膜形状の測定と眼屈折力の測定を１回ごとに交互に行うような場合にも本発明の適用は可能である。この場合、どちらか一方の測定結果が所定の測定終了条件を満たしたら、測定終了条件を満たした方の測定結果を表示する領域内の背景に塗りつぶしを加えるような手法が考えられる。
【００３６】
なお、上記のように測定結果が表示される領域内の背景に付加される所定の色の塗りつぶしは、完全に背景を見えなくさせる塗りつぶしや、半透明のように背景が見えるような塗りつぶし等が考えられる。半透明の塗りつぶしの場合、背景から被検眼を観察することができるので、次の測定の際のアライメント等がやりやすい。
【図面の簡単な説明】
【００３７】
【図１】第１の実施形態に係る眼科装置の外観構成図である。
【図２】本実施形態に係る眼科装置の光学系及び制御系の構成について説明するための概略構成図である。
【図３】眼屈折力の連続測定モードを選択した場合のフローチャートである。
【図４】右眼の眼屈折力を測定する場合の表示モニタの表示画面について説明する図である。
【図５】右眼の測定終了後に、左眼の眼屈折力を測定する場合の表示モニタの表示画面について説明する図である。
【図６】第２の実施形態に係る眼科装置における表示モニタの表示画面を示す図である。
【図７】被検眼の複数の機能を測定するような場合の表示モニタの表示画面について説明する図である。
【図８】従来の測定結果の表示手法について説明する図である。
【符号の説明】
【００３８】
４  測定部
１０  眼屈折力測定光学系
２２  観察光学系
４０  表示モニタ
７０  制御部
ＲＥＦ  眼屈折力の測定結果が表示される領域
Ｋ  角膜形状の測定結果が表示される領域
Ｎ  塗りつぶし
【図１】
0004749836.tif 000002
【図２】
0004749836.tif 000003
【図３】
0004749836.tif 000004
【図４】
0004749836.tif 000005
【図５】
0004749836.tif 000006
【図６】
0004749836.tif 000007
【図７】
0004749836.tif 000008
【図８】
0004749836.tif 000009